(57)【特許請求の範囲】
【請求項１】
無線データ通信を行なう複数の無線端末によって構成され、前記無線端末のいずれもが直接又は他の１以上の無線端末を介することで他の全ての無線端末と通信可能である無線通信ネットワークシステムにおいて、
前記複数の無線端末は、設置場所が固定され、通信可能な他の無線端末を調査して、自ら送出するデータパケットが着信先の無線端末に着信するまでに要する最小の中継回数に関する値と前記着信先の無線端末との関係情報と、自らが直接通信可能であるとする無線端末の前記関係情報とを有する無線接続情報を持つ固定無線端末と、移動可能で前記無線接続情報を持たない移動無線端末とで構成され、
前記固定無線端末は、前記無線接続情報に基づいて、前記固定無線端末間で途中中継しながら、前記データパケットを他の固定無線端末の全てに、中継転送も含めて一回以上前記データパケットを送信する送信手段を備え、
前記移動無線端末は、移動したことの結果で近傍に位置することになった前記固定無線端末の何れか１つから中継転送された固定無線端末宛てに送信されたデータパケットを受信し該データパケットからデータを着信するデータ着信手段と、任意の固定無線端末に対するデータパケット転送の必要性が生じた時点で、最後に受信したデータパケットを送信した固定無線端末を第一の中継先無線端末としてデータパケットを転送する転送手段を備えたことを特徴とする無線通信ネットワークシステム。
【請求項２】
無線データ通信を行なう複数の無線端末によって構成され、前記無線端末のいずれもが直接又は他の１以上の無線端末を介することで他の全ての無線端末と通信可能である無線通信ネットワークシステムにおける無線通信方法において、
前記複数の無線端末は、設置場所が固定され、通信可能な他の無線端末を調査して、自ら送出するデータパケットが着信先の無線端末に着信するまでに要する最小の中継回数に関する値と前記着信先の無線端末との関係情報と、自らが直接通信可能であるとする無線端末の前記関係情報とを有する無線接続情報を持つ固定無線端末と、移動可能で前記無線接続情報を持たない移動無線端末とから成り、
前記固定無線端末は、前記無線接続情報に基づいて、前記固定無線端末間で途中中継しながら、前記データパケットを他の固定無線端末の全てに、中継転送も含めて一回以上前記データパケットを送信し、
前記移動無線端末は、移動したことの結果で近傍に位置することになった前記固定無線端末の何れか１つから中継転送された固定無線端末宛てに送信されたデータパケットを受信し該データパケットからデータを着信し、任意の固定無線端末に対するデータパケット転送の必要性が生じた時点で、最後に受信したデータパケットを送信した固定無線端末を第一の中継先無線端末としてデータパケットを転送することを特徴とする無線通信方法。
【発明の詳細な説明】
【０００１】
【発明の属する技術分野】
本発明は、複数の機器が無線通信によってデータの送受を行う無線通信ネットワーク技術に関し、特に無線通信ネットワークに接続された発信元の無線端末が種々の情報をパケット化して発信し、他の無線端末が中継を繰り返しながら、着信先の無線端末まで転送するシステムで用いる技術に関し、更には、無線通信ネットワーク内に移動無線端末が存在する場合の無線端末間の情報転送方式の技術に関する。
【０００２】
【従来の技術】
従来、メッシュ状に構成されたマルチホップの無線通信ネットワーク中の、任意の無線端末間でデータ転送を行うために、各無線端末は無線端末間における無線接続情報を作成し、この情報の交換を行うことで互いの位置関係を認識し、この情報を無線通信ネットワークの全ての無線端末に周知することにより、無線端末は無線通信ネットワークのメッシュ構造と全ての無線端末の接続位置を認識することで、データを転送することが出来る無線通信ネットワークが知られている。この無線通信ネットワークシステムにおいては、各無線端末が無線通信ネットワークのメッシュ構造と無線端末の接続位置を認識するために、一定周期並びに無線接続情報が無線通信ネットワーク全体に広がるまでの時間が必要である。
【０００３】
すなわち、従来は固定無線端末を対象とした技術であり、定周期並びに無線接続情報が無線通信ネットワーク全体に広がるまでの時間に対して充分長い時間、構成が変化しないものに対してのみ対応可能であった。
【０００４】
この無線通信ネットワークシステムに関しては、特開２０００−１３３７６号公報に詳細が開示されている。
また、特開平９−１７２６８３号公報には、ＰＨＳ（Ｐｅｒｓｏｎａｌ  Ｈａｎｄｙ−ｐｈｏｎｅ  Ｓｙｓｔｅｍ）を代表とする移動通信ネットワーク及びその通信制御方法が開示されている。
【０００５】
特開平９−１７２６８３号公報の移動通信ネットワーク及びその通信制御方法は、一般呼への悪影響を及ぼすことなく移動通信サービスを実現できる移動通信ネットワークおよび通信制御方法、基地局からの端末情報要求に迅速に応答できる移動通信ネットワークおよび通信制御方法を提供することを目的とし、この目的を達成するために、それぞれ共通線信号網および通話路網によって相互接続された交換機の１つに接続され、１つの無線基地局を収容する複数の基地局制御装置と、上記共通線信号網に接続された移動端末情報管理のための移動通信用サービス制御局（ＭＳＣＰ）と、上記複数の基地局制御装置と上記ＭＳＣＰとを相互に接続する専用制御網とからなり、上記各基地局制御装置が、上記ＭＳＣＰとの間で行う移動通信制御に特有の制御情報の送受信を上記専用制御網を介して行ない、端末間で行う呼設定のための制御情報の送受信を上記交換機を介して行うための手段を備えるというものです。
【０００６】
【発明が解決しようとする課題】
しかしながら、特開２０００−１３３７６号公報の無線通信ネットワークシステムは、無線通信ネットワークにおいて、無線通信ネットワーク内を移動する一台以上の無線端末が存在する場合、移動無線端末に対してデータを転送するために、移動無線端末が現在どの無線端末と接続中なのかを無線通信ネットワーク内の全ての無線端末に周知する必要がある。ところが、移動無線端末の移動速度によっては、固定無線端末が従来の方法によって移動無線端末の無線接続情報を認識し、その情報を元にパケット転送しようとすると、移動無線端末はすでに別の場所に移動していている場合もあり、データが移動無線端末に正しく転送されていない可能性があるという問題点がある。
【０００７】
本発明は、無線通信ネットワークにおいて、無線通信ネットワーク内を移動する一台以上の無線端末が存在する場合において、移動無線端末の位置を認識することなく、移動する無線端末ヘパケット化されたデータを転送でき、移動する無線端末からも転送することができる無線通信ネットワークシステムを提供することを目的とする。
【０００８】
【課題を解決するための手段】
本発明は、上記課題を解決するため、下記のような構成を採用した。すなわち、本発明の一態様によれば、本発明の無線通信ネットワークシステムは、無線データ通信を行なう複数の無線端末によって構成され、上記無線端末のいずれもが直接又は他の１以上の無線端末を介することで他の全ての無線端末と通信可能である無線通信ネットワークシステムにおいて、上記複数の無線端末は、設置場所が固定され、通信可能な他の無線端末を調査して、自ら送出するデータパケットが着信先の無線端末に着信するまでに要する最小の中継回数に関する値と上記着信先の無線端末との関係情報と、自らが直接通信可能であるとする無線端末の上記関係情報とを有する無線接続情報を持つ固定無線端末と、移動可能で上記無線接続情報を持たない移動無線端末とで構成され、上記固定無線端末は、上記無線接続情報に基づいて、上記固定無線端末間で途中中継しながら、上記データパケットを他の固定無線端末の全てに、中継転送も含めて一回以上前記データパケットを送信する送信手段を備え、上記移動無線端末は、移動したことの結果で近傍に位置することになった上記固定無線端末の何れか１つから中継転送された固定無線端末宛てに送信されたデータパケットを受信し該データパケットからデータを着信するデータ着信手段と、任意の固定無線端末に対するデータパケット転送の必要性が生じた時点で、最後に受信したデータパケットを送信した固定無線端末を第一の中継先無線端末としてデータパケットを転送する転送手段を備えたことを特徴とする。
【００１１】
より具体的には、まず、移動無線端末が移動する範囲を全て覆うように、固定無線端末を設置し、固定無線端末による無線通信ネットワークを構築する。ただし、無線接続情報の作成および無線接続情報の通知は、固定無線端末のみを対象とした無線通信ネットワークであり、移動無線端末は、無線接続情報の作成および無線接続情報の通知を行わず、当初の無線通信ネットワークには組み込まれない。
【００１２】
移動無線端末に対してデータ転送を行う場合には、データ内に移動無線端末宛のデータであることを付加し、無線通信ネットワーク内の固定無線端末宛てに送信し、中継転送も含め全ての固定無線端末がそのデータを送信するように、全ての固定無線端末に対して宛先を変化させながら一回以上の通信を行なう。
【００１３】
移動無線端末は、その固定無線端末宛てに転送されたデータを途中傍受することによって、データを着信する。
また、上記の固定無線端末宛てのデータ転送は、移動無線端末に対して転送したいデータの有無に関わらず、連続的に行うことで、移動無線端末は、任意の固定無線端末に対してデータを転送したい場合、最後に受信したデータ（移動無線端末宛てでなくともよい）を送信した送信元の固定無線端末を第１の中継受信先無線端末として選択することにより、データを送信する。
【００１４】
これにより、全ての固定無線端末が、中継転送も含め必ず一回以上データを送信しているため、移動無線端末は、その時点に近傍に存在する固定無線端末が送信しているデータを傍受することでデータを着信することが出来る。
【００１５】
また、連続的に送信されているデータは、移動無線端末の移動速度に対して充分に高速で送信されているとすると、移動無線端末がデータを転送したい時点で、最後に受信したデータを送信した固定無線端末は、移動無線端末の近傍に必ず存在していることになる。
【００１６】
したがって、この固定無線端末を第１の中継先の無線端末に指定することによって、データは固定無線端末に転送される。
固定無線端末に中継転送されたデータは、上記特開２０００−１３３７６号公報に記載されている従来の方法によって、目的とする固定無線端末まで転送することが出来るため、移動無線端末の無線接続情報を認識することなく固定無線端末からも移動無線端末からもデータを送信することが出来る。
【００１７】
【発明の実施の形態】
以下、本発明の実施の形態を、図面を参照しながら詳細に説明する。
図１は、特定のエリアに分散配置された無線通信ネットワークの例を示す図である。
【００１８】
図１において、無線通信ネットワークは、固定無線端末Ａ、Ｂ、Ｃ、Ｄ及びＥによって構成されている。図中の点線は、無線通信のルートであり、すべての固定無線端末は、バケツリレー式にパケット通信が可能である。
【００１９】
また、図１において、移動無線端末Ｊは、上記無線通信ネットワーク内を移動する無線端末である。そして、固定無線端末Ａ乃至Ｅの何れかが発信したデータを、移動局である移動無線端末Ｊが移動範囲の全ての場所で受信可能であるように、固定無線端末Ａ乃至Ｅは配置されている。
【００２０】
固定無線端末Ａ乃至Ｅは、上記特開２０００−１３３７６号公報に記載の方法により互いの無線接続情報から位置関係を認識し通知することによって、無線通信ネットワークのメッシュ構造と互いの位置関係を知っている。以下。この情報を構成情報という。
【００２１】
一方、移動無線端末Ｊは、固定無線端末Ａ乃至Ｅとは異なり、位置関係を認識したり通知したりする事を行わないため、固定無線端末Ａ乃至Ｅが移動無線端末Ｊの存在を認識することはできない。結果として、移動無線端末Ｊは、無線通信ネットワークに組込まれず、固定無線端末のみの無線通信ネットワークを形成することになる。
【００２２】
図１において、特定の範囲内を移動する移動無線端末Ｊにデータを転送する場合を考えてみる。
各固定無線端末Ａ乃至Ｅは、上記構成情報を持っているため、固定無線端末Ａ乃至Ｅは、着信先の固定無線端末Ａ乃至Ｅごとに、どの固定無線端末にデータパケットを転送すれば良いかを知っている。この構成情報を元に、固定無線端末Ａ乃至Ｅは、バケツリレー式にパケット通信を行う。例えば、各固定無線端末Ａ乃至Ｅは、構成情報として、固定無線端末自身の構成情報と、直接通信可能な固定無線端末の構成情報を持っている。
【００２３】
図２乃至図６は、各固定無線端末Ａ乃至Ｅが持っている構成情報を示す図である。
図２乃至図６において、図中の数字は各固定無線端末Ａ乃至Ｅからの中継回数＋1 （以下、ホップ数という。）である。この例では、各固定無線端末Ａ乃至Ｅは、着信先無線端末までのホップ数が自分より少なく、かつ直接通信可能な固定無線端末に対してパケットデータを送信することによって、データパケットを着信先の固定無線端末まで転送する。
【００２４】
移動局である移動無線端末Ｊが無線通信中のデータパケットを受信するため、固定無線端末Ａ乃至Ｅにパケットを転送する方法としては、下記の２つの方法がある。
（ｉ）送信元の固定通信端末から全固定無線端末に対して、順番に繰り返しパケット転送を行う。
（ｉｉ）全ての固定無線端末が中継転送も含め、一回以上データを送信するように、宛先の固定無線端末を選定し、その固定無線端末に対して、繰り返しパケット転送を行う。
【００２５】
図１において、上記（ｉ）の方法で考えてみる。
送信元の無線端末を固定無線端末Ａとし、着信先の無線端末を固定無線端末Ｂ，固定無線端末Ｃ，固定無線端末Ｄ，固定無線端末Ｅとする。そして、本来移動局である移動無線端末Ｊに転送すべきデータパケットを、固定無線端末Ａから固定無線端末Ｂ，固定無線端末Ｃ，固定無線端末Ｄ，固定無線端末Ｅに順番に転送する。
【００２６】
より詳細に説明すると、まず、固定無線端末Ａから固定無線端末Ｂへパケットを転送する。固定無線端末Ａは、図２の構成情報（無線機Ａの欄）により固定無線端末Ｂのホップ数が１であることから、固定無線端末Ｂが直接通信可能であると分かるので、パケットを無線機Ｂへ送信する。
【００２７】
次に、固定無線端末Ａから固定無線端末Ｃへパケットを転送する。固定無線端末Ａは、図２の構成情報（無線機Ａの欄）により固定無線端末Ｃのホップ数が２であることから、固定無線端末Ｃに対しては直接通信が不可能なのであり、図２の構成情報（無線機Ｂの欄）により固定無線端末Ｃのホップ数が１であることから、固定無線端末Ａと直接通信可能な固定無線端末Ｂは、固定無線端末Ｃと直接通信可能であると分かるので、まず固定無線端末Ｂへ送信する。
【００２８】
そして、固定無線端末Ｂは、図３の構成情報（無線機Ｂの欄）により固定無線端末Ｃのホップ数が１であることから、固定無線端末Ｃが直接通信可能であることが分かるので、固定無線端末Ｃへ中継転送し、固定無線端末Ｃは転送されたデータパケットを受信する。
【００２９】
以下同様に、各固定無線端末は、各固定無線端末が持っている構成情報に基づいて、固定無線端末Ａから固定無線端末Ｄ，固定無線端末Ａから固定無線端末Ｅへデータパケットを転送する。
【００３０】
一方、移動無線端末Ｊは、例えば固定無線端末Ｃの近傍に存在し、固定無線端末Ａから固定無線端末Ｂ，固定無線端末Ａから固定無線端末Ｃ，固定無線端末Ａから固定無線端末Ｄ，固定無線端末Ａから固定無線端末Ｅへパケットを転送している間に、固定無線端末Ｃが送信したパケットを受信（傍受）することが可能である。移動無線端末Ｊが受信したデータパケットについて受信処理を行えば、あたかも移動無線端末Ｊに対してパケット転送したことと同様になる。この結果、移動局である移動無線端末Ｊ宛てにデータパケットを転送しなくても、固定無線端末Ａから移動無線端末Ｊまでパケットを転送することが可能である。
【００３１】
次に図１において、上記（ｉｉ）の方法で考えてみる。送信元の無線端末を固定無線端末Ａとする。送信元の無線端末からホップ数が最大である固定無線端末を選出する方法としては下記の２つの方法が考えられる。
（ア）無線通信ネットワークを人為的にライン状に構成し、その中でホップ数が最大となる固定無線端末を選出する。
（イ）自動生成されたメッシュ状の無線通信ネットワークにおいて、全ての固定無線端末が中継転送も含めて一回以上データを送信するように、宛先の固定無線端末を移動無線端末が自動的に選出する。
【００３２】
図１に示した無線通信ネットワークは、（ア）のライン状の無線通信ネットワークを形成している。この場合、固定無線端末Ａから見たホップ数が最大となるのは固定無線端末Ｅである。よって着信先の無線端末を固定無線端末Ｅとする。
【００３３】
固定無線端末Ａは、図２の構成情報を参照すると、固定無線端末のホップ数が４であることが分かる。また、図２より、固定無線端末Ｂから固定無線端末Ｅはホップ数が３であることが分かる。よって、固定無線端末Ａは着信先である固定無線端末Ｅに対してホップ数の少ない固定無線端末Ｂへデータパケットを送信する。固定無線端末Ｂも固定無線端末Ａと同様に、図３の構成情報を参照すると、固定無線端末Ｂの固定無線端末Ｅへのホップ数が３、固定無線端末Ｃの固定無線端末Ｅへのホップ数が２であることがわかるので、固定無線端末Ｂは、固定無線端末Ｃへデータパケットを中継転送する。
【００３４】
固定無線端末Ｃも同様に、図４からホップ数の少ない固定無線端末Ｄへパケットを中継転送する。
固定無線端末Ｄも同様に、図５からホップ数の少ない固定無線端末Ｅへ中継転送し、着信局である固定無線端末Ｅはデータパケットを受信する。
【００３５】
移動無線端末Ｊは、（ｉ）の方法の場合と同様に、移動中にデータパケットを受信できれば、移動無線端末Ｊ宛てにパケットを転送しなくても、あたかも移動無線端末Ｊまでデータパケットを転送したことと同様に扱えることが可能である。
【００３６】
図７は、（イ）のメッシュ状の無線通信ネットワークの例を示している図である。
図７において、無線通信ネットワークは、固定無線端末Ａ、Ｂ、Ｃ、Ｄ、Ｅ、Ｆ，Ｇ、ＨおよびＩによって構成されている。図中の点線は、無線通信のルートであり、すべての固定無線端末は、バケツリレー式にパケット通信が可能である。
【００３７】
また、図７において、移動無線端末Ｊは、上記無線通信ネットワーク内を移動する無線端末である。そして、固定無線端末Ａ乃至Ｉの何れかが発信したデータを、移動局である移動無線端末Ｊが移動範囲の全ての場所で受信可能であるように、固定無線端末Ａ乃至Ｉは配置されている。
【００３８】
図７のようなメッシュ状の無線通信ネットワークの場合は、最大ホップ数の固定無線端末が１台以上存在することもあり、それら全ての無線端末に対してデータパケットを送信する必要がある。また、最大ホップ数の無線端末だけにデータパケットを送信すると、全く中継送信を行わない無線端末が存在し、中継送信を行わない無線端末の近傍に移動無線端末が存在するとデータを受信できない可能性があるため、移動無線端末がデータパケットを受信できる確率を向上するためにも、全く中継送信を行わない無線端末宛にもデータパケットを送信する必要がある。
【００３９】
図７において、最大ホップ数である無線端末は固定無線端末Ｇと固定無線端末Ｈと固定無線端末Ｉである。特開２０００−１３３７６号公報に記載の方法より固定無線端末Ｇと固定無線端末Ｈと固定無線端末Ｉにデータパケットを転送した場合、例えば、固定無線端末Ａから固定無線端末Ｂおよび固定無線端末Ｄを介して固定無線端末Ｇへ、固定無線端末Ａから固定無線端末Ｂおよび固定無線端末Ｄを介して固定無線端末Ｈへ、また、固定無線端末Ａから固定無線端末Ｂおよび固定無線端末Ｄを介して固定無線端末Ｉへとデータが転送されたとすると、固定無線端末Ｃ、固定無線端末Ｅおよび固定無線端末Ｆは、一度もデータパケットを送信していないことになる。よって、固定無線端末Ｃ、固定無線端末Ｅまたは固定無線端末Ｆの近傍に移動無線端末Ｊが存在すると、移動無線端末Ｊはデータパケットを受信できない可能性がある。そこで、固定無線端末Ｃ、固定無線端末Ｅおよび固定無線端末Ｆに対してもデータ転送を行うことにより、少なくとも（ｉ）の方法よりも効率良くデータ転送することができる。しかし、特開２０００−１３３７６号公報に記載の方法でデータ転送が行われた場合、実際にどのルートを選出しているか分からない。
【００４０】
この間題を解決するために、まずデータパケットの送信元である固定無線端末Ａは、無線通信ネットワーク内の全ての固定無線端末に対して、中継ルートを検出する通信を行う。ここで、中継ルートを検出する通信のデータをデータＸとし、移動無線端末に送信するためのデータを固定無線端末宛てに送信するデータをデータＹとする。データＸを途中中継する度に、中継転送した無線端末が自分の無線端末識別番号をデータＸ中に格納し、着信した固定無線端末は、途中中継転送した無線端末の無線端末識別番号が格納されたデータＸを、送信元である固定無線端末Ａに返信する。
【００４１】
中継ルートを検出する通信を中継転送した無線端末は、以降、同じ固定無線端末宛てのデータＹを中継転送する際には、必ず、中継ルートを検出する通信で中継転送した無線端末宛てに送信する。これは、新たな中継ルートを検出する通信を中継するまで保持する。固定無線端末Ａは、無線通信ネットワーク内の全ての固定無線端末に対して、中継ルートを検出する通信を行った後、中継転送した無線端末識別子を集計し、全ての固定無線端末が中継転送も含めて一回以上データＹを送信し、かつ宛先数が最小になるよう宛先固定無線端末を選出する。このようにすれば、データＹを送信する際は、上記で選出された固定無線端末宛てに対してデータ送信することで、解決できる。
【００４２】
次に、図８のように無線通信ネットワーク内に複数の移動端末が存在する場合を考えてみる。図８は図７に比べ、移動無線端末Ｊの他に、移動無線端末Ｋと移動無線端末Ｌが存在する。
【００４３】
図９は、移動無線端末宛てに送信するデータの例を示す図である。
図９は、無線通信ネットワークを中継転送するための中継転送用ヘッダ部と、１以上のデータとそれに対応した着信用ヘッダ部から成る。移動無線端末は着信用ヘッダ部を参照して、着信すべきか否かを判断する。
【００４４】
複数の移動端末に対してデータパケットを転送する方法として下記の３つの方法が考えられる。
（ａ）移動無線端末ヘブロードキャストで転送する。
（ｂ）移動無線端末ヘマルチキャストで転送する。
（ｃ）移動無線端末へ個別で転送する。
【００４５】
上記（ａ）の場合で考えてみる。
固定無線端末Ａから、移動無線端末Ｊと移動無線端末Ｋと移動無線端末Ｌのすべてに同じデータを送るため、無線通信ネットワーク内に全固定無線端末Ａ乃至Ｉに対し、図９に示すように、着信用ヘッダ部分にブロードキャストである識別子をつけて転送する。
【００４６】
移動無線端末Ｊ、移動無線端末Ｋおよび移動無線端末Ｌは、パケットデータを傍受することにより、着信用パケットを受信し、着信用ヘッダ部分の識別子を参照して、ブロードキャストパケットであることが確認でき、移動無線端末Ｊ、移動無線端末Ｋおよび移動無線端末Ｌが受信処理を行なうことにより、結果的に固定無線端末Ａから移動無線端末Ｊ、移動無線端末Ｋおよび移動無線端末Ｌへデータパケットを転送したことと同等に扱える。
【００４７】
また、上記（ｂ）の場合は、移動無線端末Ｊ乃至Ｌ（あるいは、これらのうちの任意のいくつかの移動無線端末）をグループ化し、データを転送したい移動無線端末のグループの識別子を着信用ヘッダ部分に入れて転送し、移動無線端末Ｊ乃至Ｌは、傍受することにより受信したパケットの着信用ヘッダ部分を参照し、移動無線端末自身（移動無線端末Ｊ、Ｋおよび／またはＬ）のグループ識別子と照合して一致していれば、移動無線端末（移動無線端末Ｊ、Ｋおよび／またはＬ）がそれぞれ受信処理を行ない、不一致であれば受信したデータパケットを破棄すれば、結果的にマルチキャストで移動無線端末（移動無線端末Ｊ、Ｋおよび／またはＬ）にデータ転送したこととなる。
【００４８】
また、上記（ｃ）の場合も（ｂ）の場合と同様で、着信用ヘッダ部分に目的の移動無線端末（移動無線端末Ｊ、Ｋおよび／またはＬ）の識別子を付けて、無線通信ネットワーク内の固定無線端末Ａ乃至Ｉに転送し、移動無線端末（移動無線端末Ｊ、Ｋおよび／またはＬ）は傍受することにより受信したパケットの着信用ヘッダ部分を参照し、移動無線端末（移動無線端末Ｊ、Ｋおよび／またはＬ）の識別子と照合して一致していれば、移動無線端末（移動無線端末Ｊ、Ｋおよび／またはＬ）がそれぞれ受信処理を行ない、不一致であれば受信したデータパケットを破棄すれば、特定の移動無線端末（移動無線端末Ｊ、Ｋおよび／またはＬ）へ転送したこととなる。
【００４９】
次に、図８の移動無線端末Ｊからデータ転送を行う場合について考えてみる。移動無線端末Ｊは、無線通信ネットワークとの接続情報を持っていないため、特開２０００−１３３７６号公報に記載の記述のように移動無線端末Ｊからデータパケットを転送することができない。そこで、移動無線端末Ｊに対するデータの転送を固定無線端末Ａ乃至Ｉが連続的に行ない、移動無線端末Ｊが最後に受信したデータを送信した固定無線端末（Ａ乃至Ｉのいずれか）を第１の中継先無線端末として無線通信ネットワークに転送することで、移動無線端末Ｊからデータ転送を行う。
【００５０】
ここで、移動無線端末Ｊの移動速度によっては受信したデータを送信した固定無線端末（Ａ乃至Ｉのいずれか）が近傍に存在しない可能性があるため、移動無線端末Ｊに対するデータを送信する間隔を、移動無線端末Ｊの移動速度に対して充分に短くすることで、最後に受信したデータを送信した固定無線端末（Ａ乃至Ｉのいずれか）が移動無線端末Ｊの近傍に存在することになる。
【００５１】
図１０は、移動無線端末Ｊが最後に受信したデータパケットの中継転送用ヘッダ部に格納されている情報の例を示す図である。図１０において、送信元端末識別子には、最初にデータパケットを送信した固定無線端末Ａの識別子が格納されている。着信先端末識別子には、最終的に着信すべき固定無線端末Ｄの識別子が格納されている。中継送信元端末識別子には、中継送信するために送信した固定無線端末Ｅの識別子が、中継受信先端末識別子には、中継受信するための固定無線端末Ｄの識別子がそれぞれ格納されている。
【００５２】
移動無線端末Ｊが送信元無線端末である固定無線端末Ａへデータ転送を行うためには、図１０中の中継送信元端末の識別子（Ｅ）を移動無線端末Ｊが出すパケットヘッダ部分の中継受信元端末識別子に格納し、他の部分は通常の送信パケット作成と同様に作成する。
【００５３】
図１０に示した例では、中継送信元端末識別子は（Ｅ）であるからデータパケットを送信したい固定無線端末、すなわち着信先端末識別子を（Ａ）として作成する。この作成した中継転送用ヘッダ部を図１１に示す。
【００５４】
図１１に示したような情報をパケットヘッダ部としてデータパケットを転送すれば、移動無線端末Ｊが転送したデータパケットを固定無線端末Ｅは受信することができ、後は、特開２０００−１３３７６号公報に記載の方法によってパケット通信を行なうため、固定無線端末Ａまでデータパケットを転送することができる。なお、着信先端末を固定無線端末Ａ以外としても正しく転送することができる。
【００５５】
上述のように、本発明の実施の形態を、図面を参照しながら説明してきたが、本発明が適用される無線通信システムを制御するプログラムは、そのプログラムコードを記録したＲＯＭやＲＡＭのメモリ、外部記録装置、可搬記録媒体を、無線端末に供給し、その無線端末のコンピュータがプログラムコードを読み出し実行することによっても、達成されることは言うまでもない。
【００５６】
この場合、記録媒体から読み出されたプログラムコード自体が本発明の新規な機能を実現することになり、そのプログラムコードを記録した可搬記録媒体等は本発明を構成することになる。
【００５７】
プログラムコードを供給するための可搬記録媒体としては、例えば、フロッピーディスク、ハードディスク、光ディスク、光磁気ディスク、ＣＤ−ＲＯＭ、ＣＤ−Ｒ、ＤＶＤ−ＲＯＭ、ＤＶＤ−ＲＡＭ、磁気テープ、不揮発性のメモリーカード、ＲＯＭカード、電子メールやパソコン通信等のネットワーク接続装置（言い換えれば、通信回線）を介して記録した種々の記録媒体などを用いることができる。
【００５８】
また、コンピュータがメモリ上に読み出したプログラムコードを実行することによって、前述した実施の形態の機能が実現される他、そのプログラムコードの指示に基づき、コンピュータ上で稼動しているＯＳなどが実際の処理の一部または全部を行ない、その処理によっても前述した実施の形態の機能が実現される。
【００５９】
さらに、可搬型記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行ない、その処理によっても前述した実施の形態の機能が実現され得る。
【００６０】
すなわち、本発明は、以上に述べた実施の形態に限定されるものではなく、本発明の要旨を逸脱しない範囲内で種々の構成または形状を取ることが出来る。
【００６１】
【発明の効果】
以上説明してきたように、本発明によれば、無線通信ネットワークにおいて、無線通信ネットワーク内に移動無線端末が存在している場合でも、移動無線端末が無線通信ネットワーク内のデータパケットを受信（傍受）し、移動無線端末に対して送信されたデータパケットであるか判断し、移動無線端末に対するパケットであれば受信処理を行ない、移動無線端末に対するパケットでなければパケットを破棄することで、移動無線端末の構成情報を意識することなく、パケット化されたデータを転送することが出来る。
【００６２】
また、本発明によれば、最後に受信したデータパケットを参照することで、移動無線端末から無線通信ネットワーク内の固定無線端末に対してもパケットの転送を行うことが出来る。
【００６３】
これにより、無線通信ネットワーク内に移動無線端末が存在していることを意識することなく、通常の無線通信ネットワークと同等に扱うことができるため、無線通信ネットワークの利用性を向上することが可能である。
【図面の簡単な説明】
【図１】特定のエリアに分散配置された無線通信ネットワークの例を示す図である。
【図２】各固定無線端末Ａ乃至Ｅが持っている構成情報の例（その１）を示す図である。
【図３】各固定無線端末Ａ乃至Ｅが持っている構成情報の例（その２）を示す図である。
【図４】各固定無線端末Ａ乃至Ｅが持っている構成情報の例（その３）を示す図である。
【図５】各固定無線端末Ａ乃至Ｅが持っている構成情報の例（その４）を示す図である。
【図６】各固定無線端末Ａ乃至Ｅが持っている構成情報の例（その５）を示す図である。
【図７】メッシュ状の無線通信ネットワークの例を示している図である。
【図８】メッシュ状の無線通信ネットワークの例（無線通信ネットワーク内に複数の移動端末が存在する場合）を示している図である。
【図９】移動無線端末宛てに送信するデータの例を示す図である。
【図１０】移動無線端末Ｊが最後に受信したデータパケットの中継転送用ヘッダ部に格納されている情報の例を示す図である。
【図１１】中継転送用ヘッダ部に格納されている情報の例を示す図である。
【図１】
0004269545.tif 000002
【図２】
0004269545.tif 000003
【図３】
0004269545.tif 000004
【図４】
0004269545.tif 000005
【図５】
0004269545.tif 000006
【図６】
0004269545.tif 000007
【図７】
0004269545.tif 000008
【図８】
0004269545.tif 000009
【図９】
0004269545.tif 000010
【図１０】
0004269545.tif 000011
【図１１】
0004269545.tif 000012